(57)【特許請求の範囲】
【請求項１】
一方の方向のみに回転力を伝達するワンウェイクラッチと、
前記ワンウェイクラッチの外輪の貫通孔に軸の係合部が挿入され前記ワンウェイクラッチに係合するとともに前記係合部から突出して前記軸にねじ部を有したねじ本体と、
前記ねじ本体を回転させるためのねじ溝を有し前記ワンウェイクラッチと前記ねじ本体の前記係合部とが係合した部分を覆って前記ワンウェイクラッチに固定されたキャップとを備えたことを特徴とする取り外し防止装置。
【請求項２】
前記ねじ本体の軸の前記ねじ部と前記係合部との間に逃がし溝を設けたことを特徴とする請求項１記載の取り外し防止装置。
【請求項３】
前記ねじ本体の軸の前記ねじ部と前記係合部との間に前記ねじ部のねじ加工の終端部を有し、前記キャップの前記ねじ部側の長さは、前記ねじ部のねじ加工の終端部の長さ分だけ長くしたことを特徴とする請求項１記載の取り外し防止装置。
【発明の詳細な説明】
【技術分野】
【０００１】
本発明は、ねじで固定された部材の取り外しを防止する取り外し防止装置に関する。
【背景技術】
【０００２】
例えば、ねじで固定された部材の取り外しを防止するものとして、パチンコ機やスロットマシン等の遊技機の制御基板の取り外しを防止するものがある。遊技機では、ＣＰＵが実行するための各種遊技制御プログラムを格納したＲＯＭ等の電子部品が搭載された主制御基板や演出用制御基板等の各種の制御基板によって遊技動作を制御するようになっている。
【０００３】
この各種の制御基板の基板ケースは、検査を行うことができるようにするために遊技機に対して着脱可能となっている。そのため、基板ケースごと偽造品（不正品）と取り替えられる恐れがある。そこで、制御基板を収容したケースの一部分にＩＣタグと呼ばれるチップ状の電子部品を固着しておき、ＩＣタグが破壊された場合に、その破壊された痕跡を発見することで、不正行為が成されたと判断することができるようにしている（特許文献１参照）。また、制御基板に制御素子の取り外しを防止する取り外し防止部材を設け、制御基板に装着されている制御素子の取り外しを困難なものとし、不正ＲＯＭの差し換えを防止するようにしたものがある（特許文献２参照）。
【０００４】
また、グレーチング蓋やマンホール蓋等もねじで固定されるが、鋼材価格の高騰を背景にグレーチング蓋やマンホール蓋等は、ねじを取り外して持ち去る盗難事件が急増している。そこで、迅速かつ容易に施工することができ、グレーチング蓋やマンホール蓋等の盗難を防止できるようにした取り外し防止ナットがある（特許文献３参照）
【先行技術文献】
【特許文献】
【０００５】
【特許文献１】特開２００７−２９６２３９号公報
【特許文献２】特開２００４−１５４４６２号公報
【特許文献３】特開２０１２−２４６９８５号公報
【発明の概要】
【発明が解決しようとする課題】
【０００６】
しかし、特許文献１、２の遊技機においては、ＩＣタグや制御素子の取り外し防止部材を別途用意して制御基板の取り外しを防止しなければならないのでコストが高くなる。また、特許文献３の取り外し防止ナットは、ナット本体の一つ以上の角部に当該角部よりも外側へ突出された取り外し防止突起を形成し、レンチやスパナ等の汎用工具を使用するのに充分なスペースを確保できない凹陥状スペース内に取り外し防止ナットを位置させるようにし、レンチやスパナ等の汎用工具でナットを取り外しできないようにしているが、取り外し防止ナットを収納する凹陥状スペースが必要となる。
【０００７】
本発明の目的は、ねじで締め付けられて固定された部材を容易に取り外しできない取り外し防止装置を提供することである。
【課題を解決するための手段】
【０００８】
請求項１の発明に係る取り外し防止装置は、一方の方向のみに回転力を伝達するワンウェイクラッチと、前記ワンウェイクラッチの外輪の貫通孔に軸の係合部が挿入され前記ワンウェイクラッチに係合するとともに前記係合部から突出して前記軸にねじ部を有したねじ本体と、前記ねじ本体を回転させるためのねじ溝を有し前記ワンウェイクラッチと前記ねじ本体の前記係合部とが係合した部分を覆って前記ワンウェイクラッチに固定されたキャップとを備えたことを特徴とする。
【０００９】
請求項２の発明に係る取り外し防止装置は、請求項１の発明において、前記ねじ本体の軸の前記ねじ部と前記係合部との間に逃がし溝を設けたことを特徴とする。
【００１０】
請求項３の発明に係る取り外し防止装置は、請求項１の発明において、前記ねじ本体の軸の前記ねじ部と前記係合部との間に前記ねじ部のねじ加工の終端部を有し、前記キャップの前記ねじ部側の長さは、前記ねじ部のねじ加工の終端部の長さ分だけ長くしたことを特徴とする。
【発明の効果】
【００１１】
請求項１の発明によれば、ねじ本体の軸の係合部をワンウェイクラッチの外輪の貫通孔に挿入しワンウェイクラッチに係合させるので、キャップのねじ溝をワンウェイクラッチの回転力を阻止する方向に回転させることにより、ねじ本体は締まり止めされる。一方、逆方向にキャップのねじ溝を回転させることにより、ねじ本体は空回りしねじ本体を取り外すことができない。従って、キャップのねじ溝を回転させるだけではねじで締め付けられて固定された部材を取り外すことができない。
【００１２】
請求項２の発明によれば、請求項１の発明の効果に加え、ねじ本体の軸のねじ部と係合部との間に逃がし溝を設けているので、ねじ部のねじ加工は逃がし溝まで容易に行え、また、ねじ本体はキャップの位置まで締まり止めされる。
【００１３】
請求項３の発明によれば、請求項１の発明の効果に加え、ねじ本体の軸のねじ部と係合部との間に逃がし溝を設けずにねじ加工するので、ねじ部と係合部との間にねじ加工の終端部が形成されるが、前記キャップの前記ねじ部側の長さは、前記ねじ部のねじ加工の終端部の長さ分だけ長くするので、ねじ本体は、ねじ加工の終端部に邪魔されることなく締まり止めできる。
【図面の簡単な説明】
【００１４】
【図１】本発明の実施形態に係る取り外し防止装置の一例の断面図。
【図２】本発明の実施形態に係る取り外し防止装置のキャップとワンウェイクラッチとの固定機構の説明図。
【図３】本発明の実施形態に係る取り外し防止装置の他の一例の断面図。
【発明を実施するための形態】
【００１５】
以下、本発明の実施形態を説明する。図１は本発明の実施形態に係る取り外し防止装置の一例の断面図であり、図１（ａ）は全体構成図、図１（ｂ）はワンワンウェイクラッチの断面図、図１（ｃ）はねじ本体の断面図、図１（ｄ）はキャップの断面図である。
【００１６】
図１（ａ）に示すように、本発明の実施形態に係る取り外し防止装置は、ワンウェイクラッチ１１と、ねじ本体１２と、キャップ１３とから構成される。
【００１７】
ワンウェイクラッチ１１は一方の方向のみに回転力を伝達するクラッチであり、図１（ｂ）に示すように、円筒状に形成された外輪１４はねじ本体１２が挿入される貫通孔１５を有し、外輪１４の内径面には円周方向に複数個の楔形状空間１６が形成され、楔形状空間１６に転動体１７が収納され、また、外輪１４の一方端部において転動体１７を押圧する板バネ機構部１８が設けられている。楔形状空間１６は広幅部と狭小部とを有する。
【００１８】
貫通孔１５にねじ本体１２が挿入されと、後述のねじ本体１２の係合部２４が貫通孔１５を貫通し、ねじ本体１２の係合部２４の外面と転動体１７の外面とが接触し、ねじ本体１２が一方の方向に回転すると、転動体１７が板バネ機構部１８に押されて楔形状空間１６の広幅部から狭小部に向けて移動し、転動体１７は楔形状空間１６でねじ本体１２の係合部２４及び外輪１４と噛み合い状態に至り、ねじ本体１２の回転力は外輪１４に伝達される。一方、ねじ本体１２が逆方向に回転したときは、転動体１７が板バネ機構部１８を押圧して楔形状空間１６の広幅部へ移動する。これにより、転動体１７の噛み合い状態が解除されてねじ本体１２の回転は空転となり、外輪１４に回転力を伝達しない状態となる。このように、ワンウェイクラッチ１１は、ねじ本体１２の一方の方向のみの回転力を外輪１４に伝達するクラッチであり、回転トルクの伝達のオンオフを行うことができる。
【００１９】
ねじ本体１２は、図１（ｃ）に示すように、軸１９と頭２０とから構成され、軸１９のねじ先２１から首２２までの間には、ねじ部２３と係合部２４とが設けられている。ねじ部２３は係合部２４から突出して設けられ、ねじ部２３と係合部２４との間には逃がし溝２５が設けられている。そして、ねじ部２３にはねじ山が形成され、逃がし溝２５は、ねじ部２３のねじ加工の際に、ねじ部２３の全域にねじ山が切れるように、ねじ加工治具が係合部２４側に移動できる距離を確保するためのものである。係合部２４はワンウェイクラッチ１１の外輪１４の貫通孔１５に挿入されて外輪１４と係合する。
【００２０】
キャップ１３は、図１（ｄ）に示すように、ねじ本体１２を回転させるためのねじ溝２６を有し、ワンウェイクラッチ１１とねじ本体１２の係合部２４とが係合した部分（圧入部分）を覆ってワンウェイクラッチ１１に固定される。キャップ１３のワンウェイクラッチ１１への固定は、ワンウェイクラッチ１１の外輪１４の外周面に設けた嵌合溝とキャップ１３の内周面に設けた嵌合凸部との嵌合により固定される。図２はキャップ１３とワンウェイクラッチ１１との固定機構の説明図であり、図２（ａ）は図１（ｂ）の左側面から見た平面図、図２（ｂ）は図１（ｄ）のＸ−Ｘ線の断面平面図である。図２（ａ）に示すように、ワンウェイクラッチ１１の外輪１４の外周面に複数個の嵌合溝２７が設けられ、図２（ｂ）に示すように、キャップ１３の内周面には複数個の嵌合溝２７に嵌合する嵌合凸部２８が設けられている。そして、キャップ１３は、これらの嵌合溝２７と嵌合凸部２８との嵌合によりワンウェイクラッチ１１に固定される。以上の説明では、
ワンウェイクラッチ１１の外輪１４の外周面に嵌合溝２７を設け、キャップ１３の内周面に嵌合凸部２８を設けたが、逆に、ワンウェイクラッチ１１の外輪１４の外周面に嵌合凸部２８を設け、キャップ１３の内周面に嵌合溝２７を設けるようにしてもよい。
【００２１】
また、キャップ１３のワンウェイクラッチ１１への固定として、嵌合溝２７と嵌合凸部２８との固定に加え、熱かしめを行うようにしてもよい。例えば、キャップ１３を樹脂で、圧入部分より小さめの開口部を有するように形成し、キャップ１３の開口部に圧入部分を挿入し熱を加え、キャップ１３と圧入部分とを固着する。
【００２２】
これにより、キャップ１３とワンウェイクラッチ１１は固定されるので、キャップ１３のねじ溝２６をワンウェイクラッチ１１の回転力を阻止する方向に回転させることにより、ねじ本体１２のねじ部２３は締まり止めされる。一方、逆方向にキャップ１３のねじ溝２６を回転させることにより、ねじ本体１２は空回りしねじ本体１２を取り外すことができない。
【００２３】
図３は、本発明の実施形態に係る取り外し防止装置の他の一例の断面図である。この他の一例は、図１に示した一例に対し、逃がし溝２５を設けることなくねじ加工し、ねじ加工により、ねじ部２３と係合部２４との間に形成されたねじ加工の終端部２９をそのまま残し、キャップ１３のねじ部２３側の長さは、ねじ部２３のねじ加工の終端部２９の長さ分だけ長くしたものである。図１と同一要素には同一符号を付し重複する説明は省略する。
【００２４】
逃がし溝がない場合には、ねじ部２３のねじ加工により、ねじ部２３と係合部２４との間にねじ加工の終端部２９が形成される。これは、ねじ部２３のねじ加工の際に、ねじ部２３の全域にねじ山が切れるように、ねじ加工治具が係合部２４側に移動できる距離を確保できないためである。この他の一例では、図２に示すように、ねじ加工の終端部２９はそのまま残し、キャップ１３のねじ部２３側の長さは、ねじ部２３のねじ加工の終端部２９の長さ分Δｄだけ長くする。これにより、ねじ本体１２のねじ部２３は、ねじ加工の終端部２９に邪魔されることなく締まり止めできる。
【００２５】
以上のように、本発明の実施形態によれば、ねじ本体１２の軸の同軸上にワンワンウェイクラッチ１１を配置するので、ねじ本体１２の締め付けの際は、ワンウェイクラッチ１１のロック機能によりねじ部２３が回転し、ねじ本体１２の締め付けが可能となる。一方、ねじ本体１２の締め付け後の取り外しは、ワンウェイクラッチ１１の空転機能により、ねじ部２３に回転が伝わらず、ゆるめることができない。従って、ねじ本体１２で締め付けられて固定された部材を取り外すことができない。
【００２６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２７】
１１…ワンウェイクラッチ、１２…ねじ本体、１３…キャップ、１４…外輪、１５…貫通孔、１６…楔形状空間、１７…転動体、１８…板バネ機構部、１９…軸、２０…頭、２１…ねじ先、２２…首、２３…ねじ部、２４…係合部、２５…逃がし溝、２６…ねじ溝、２７…嵌合溝、２８…嵌合凸部、２９…ねじ加工の終端部
【要約】
【課題】ねじで締め付けられて固定された部材を容易に取り外しできない取り外し防止装置を提供することである。
【解決手段】一方の方向のみに回転力を伝達するワンウェイクラッチ１１の外輪１４の貫通孔１５に、ねじ本体１２の軸１９の係合部２４が挿入され、ねじ本体１２は、ワンウェイクラッチ１１に係合するとともに、係合部２４から突出して軸１９にねじ部２３を有し、キャップ１３は、ねじ本体１２を回転させるためのねじ溝２６を有し、ワンウェイクラッチ１１とねじ本体１２の係合部２４とが係合した部分を覆ってワンウェイクラッチ１１に固定される。
【選択図】  図１【図１】
0005873916.tif 000002
【図２】
0005873916.tif 000003
【図３】
0005873916.tif 000004